(57)【特許請求の範囲】
【請求項１】
ゴミを捕集するための排水口に設置される排水口フィルタであって、
前記排水口に挿入される網目状の弾性体である網状部と、
前記網状部を覆い、前記排水口の周縁に位置する周縁部と当接することにより前記網状部との間に排水が流れる排水空間を形成する複数の脚部を有する蓋部と、
前記網状部に着脱可能に係止される係止部を備えた係合部材と、を有し、
前記蓋部には、貫通孔が形成され、
前記係合部材は、前記貫通孔を介して前記網状部と係止し、
前記係合部材は、前記係止部と反対側に把持部を有していることを特徴とする排水口フィルタ。
【請求項２】
前記蓋部は略円形であって、
前記複数の脚部は、半径方向に沿って設けられていることを特徴とする請求項１に記載の排水口フィルタ。
【請求項３】
前記複数の脚部は、前記蓋部の周縁部から半径方向内側に位置していることを特徴とする請求項１又は請求項２に記載の排水口フィルタ。
【発明の詳細な説明】
【技術分野】
【０００１】
本発明は排水口フィルタ関し、特に洗面所や浴室などに設けられた排水口に設置する排水口フィルタに関する。
【背景技術】
【０００２】
従来より、洗面台に取り付ける三次元網目構造からなる排水口用フィルタが知られている（例えば、特許文献１）。排水口用フィルタには、セル膜のない三次元網目構造からなる断面略円形の弾性発泡体に、両端面を連通する貫通穴が設けられている。これにより、髪の毛や糸屑などを確実に保持することができ、取付け取外しが簡単かつ確実となる。
【０００３】
また、排水口に設置する排水栓用汚物捕集用器具が知られている（例えば、特許文献２）。排水栓用汚物捕集用器具は保持部及び汚物捕集用網袋が設けられていて、汚物捕集用網袋を保持部から取外して毛髪やゴミなどと一緒に廃棄することができる。
【先行技術文献】
【特許文献】
【０００４】
【特許文献１】特許第３２０７７４１号
【特許文献２】特開２００９−６８３２０号公報
【発明の概要】
【発明が解決しようとする課題】
【０００５】
しかしながら、特許文献１に記載の排水口用フィルタでは、フィルタ交換の際に毛髪やゴミ等が大量に付着した排水口用フィルタを直接手で触って交換する必要があった。また、中央に複数の貫通穴が設けられていることにより異物保持効率が低下し細かなゴミ等が貫通穴によって排水口に流れ出ていた。
【０００６】
また、特許文献２に記載の排水栓用汚物捕集用器具では、保持部の形状によって使用することができる排水口の形状が限定されていた。さらに、排水栓本体は排水栓スライド軸の端部に固定されているが、排水口の口径によっては十分な栓としての役割を果たすことができなかった。
【０００７】
そこで、本発明は、簡易にフィルタの交換が可能であって、異物を捕集することができる排水口フィルタを提供することを目的とする。
【課題を解決するための手段】
【０００８】
上記課題を解決するために第１の発明は、ゴミ等を捕集するための排水口に設置される排水口フィルタであって、前記排水口に挿入される網目状の弾性体である網状部と、前記網状部を覆い、前記排水口の周縁に位置する周縁部と当接することにより前記網状部との間に排水が流れる排水空間を形成する複数の脚部を有する蓋部と、前記網状部に着脱可能に係止される係止部を備えた係合部材と、を有し、前記蓋部には、貫通孔が形成され、前記係合部材は、前記貫通孔を介して前記網状部と係止し、前記係合部材は、前記係止部と反対側に把持部を有することを特徴とする排水口フィルタを提供している。
【００１０】
第２の発明では、第１の発明に記載された排水口フィルタであって、前記蓋部は略円形であって、前記脚部は、半径方向に沿って設けられていることを特徴としている。
【００１１】
ここで、半径方向に沿って設けられているとは、半径方向に延びるように１つの脚部が設けられてもよく、半径方向に沿って複数の脚部が並ぶように設けられていても良い。
【００１２】
第３の発明では、第１の発明又は第２の発明に記載された排水口フィルタであって、前記複数の脚部は、前記蓋部の周縁部から半径方向内側に位置していることを特徴としている。
【発明の効果】
【００１３】
第１の発明によると、網状部に着脱可能な係合部材を有しているため、網状部と係合部材との係合を解除することにより簡単に網状部を新品と交換することができる。これにより、直接汚れた排水口に触れることなくフィルタである網状部を交換することができ、使用者の手を汚すことがない。また、蓋部が網状部を覆っているため、髪の毛やゴミ等が捕集された網状部を直接視認することを回避できる。さらに、蓋部は網状部との間に排水が流れる排水空間を形成する複数の脚部を有しているため、蓋部が排水と干渉することがない。これにより、排水を円滑に網状部に流すことができる。さらに、脚部を長くすることにより、排水空間を大きく取ることができ、蓋部にほとんど排水が触れることがない。これにより、蓋部の清潔感が持続し、洗面器全体の清潔感を保つことができる。
【００１４】
また、係合部材は貫通孔を介して網状部と係止しているため、蓋部と係合部材とが着脱可能となる。これにより、係合部材が消耗した場合であっても、係合部材のみ交換することができる。また、係合部材は係止部と反対側に把持部を有しているため、使用者は把持部を把持することにより排水口フィルタを排水口から取り外すことができる。これにより、網状部に直接触れることなく交換することが可能となり、使用者の手が汚れることを防止できる。さらに、蓋部と係合部材と網状部とを一体で廃棄することにより、排水口フィルタを使い捨てで使用することができる。
【００１５】
第２の発明によると、脚部は蓋部の半径方向に沿って設けられているため、脚部が排水の流れの障害になることを抑制することができる。これにより、排水を円滑に網状部に案内することができ、網状部で効率的に髪の毛やごみ等を捕集することができる。また、脚部が半径方向で排水の流れを妨げず、髪の毛やごみ等を効率良くフィルタで捕集することができる。
【００１６】
第３の発明によると、脚部は蓋部の周縁部の半径方向内側に位置しているため、脚部に引っ掛かった髪の毛やゴミ等を蓋部で覆い隠すことができる。これにより、清潔感があって使用感の良い排水口を実現することができる。
【図面の簡単な説明】
【００１７】
【図１】本発明の第１の実施の形態による排水口フィルタを排水口に装着したときの排水口近傍の断面図。
【図２】本発明の第１の実施の形態による排水口フィルタの斜め下方向から見た分解斜視図。
【図３】本発明の第１の実施の形態による排水口フィルタの蓋部の底面図。
【図４】本発明の第２の実施の形態による排水口フィルタの蓋部の底面図。
【図５】本発明の第２の実施の形態による排水口フィルタの蓋部の側面図。
【図６】本発明の第３の実施の形態による排水口フィルタの斜め下方向から見た分解斜視図。
【発明を実施するための形態】
【００１８】
本発明の第１の実施の形態による排水口フィルタ１を図１から図３に基づき説明する。図１から図３に示すように、上下方向を定義する。
【００１９】
排水口フィルタ１は排水口１０に挿入されるフィルタであって、網状部２と、蓋部３と、係合部材４と、から構成される。排水口１０の下部には略Ｙ時状のストッパ部１１が設けられていて、排水口１０の周囲はステンレス等の金属からなる周縁部１２で囲まれている。
【００２０】
網状部２は三次元の網目構造の弾性体であって、発泡体として構成される。網状部２は、公知のエステル系又はエーテル系のポリウレタンが望ましいく、密度は３５ｋｇ／ｍ３であって、直径が３５ｍｍ、高さが２５ｍｍである。網状部２の密度やサイズは、排水口１０の形状等に応じて任意に選択することができる。
【００２１】
網状部２は、三次元の網目構造によって迷路状に連通した孔が無数に形成されており、水は孔を通過するが髪の毛や細かいゴミは当該網目構造によって捕集される。網状部２の直径は、排水口１０の口径よりも僅かに大きい方が好ましく、本実施の形態では排水口１０が３０ｍｍとなっている。
【００２２】
図２から図４に示すように、蓋部３は薄円盤形状であって、複数の脚部３１を有し、中央に貫通穴３ａが形成されている。脚部３１は先端部が細くなるような形状であって、貫通穴３ａを中心に１２０°の間隔で３つずつ設けられている。３つの脚部３１は、排水の流れを妨げないように、蓋部３の半径方向に並んで等間隔に配置される。蓋部３の上面には、企業の広告等を表示してもよくイラストやシール等を貼付してもよい。脚部３１の長さは、５から１０ｍｍの範囲で任意の値を設定することができる。蓋部３の素材は、環境を考慮した生分解性プラスチック、防水の表面処理がされた紙類、又は一般的なプラスチック素材を用いることができる。
【００２３】
図１に示すように、脚部３１のうち最も径方向内方に位置する脚部３１は、網状部２（排水口１０）と干渉しない位置に設けられる。換言すると、図１に示す状態では、脚部３１のすべてが排水口１０の周縁部１２と当接している。なお、脚部３１の本数は、蓋部３を安定的に周縁部１２と当接させることができればこれに限定されない。また、脚部３１は、蓋部３の周縁部３２よりも半径方向内側に位置している。ここで、周縁部３２とは蓋部３の外周縁から１〜３ｍｍ程度内側に入った領域である。周縁部３２を設けることによって、脚部３１に引っ掛かった髪の毛やゴミ等を蓋部３で覆い隠すことができる。
【００２４】
係合部材４は、把持部４１と、係止部４２と、を備えている。把持部４１は上端部に設けられ、使用者によって把持される部分であって、幅方向に広がっている。係止部４２は、係合部材４の下端部であって把持部４１の反対側に位置し、下端が細くなるような形状をなしている。係止部４２には、柔軟性を有し幅方向に広がった幅広部４３が設けられている。幅広部４３は、貫通穴３ａの直径よりも幅方向に広い。これにより、一旦係合部材４が貫通穴３ａに挿入されると、幅広部４３が抵抗となって係合部材４と蓋部３とが一時的に係合される。蓋部３を押さえた状態で係合部材４を引き抜くと、蓋部３と係合部材４とが分離する。
【００２５】
次に、排水口フィルタ１の排水口１０への設置方法について説明する。排水口１０に網状部２を僅かに収縮させながら挿入する。このとき、図１に示すように、網状部２の下面がストッパ部１１と当接するとともに周縁部１２と網状部２とが略面一となる。換言すると、排水口１０に挿入したとき、ストッパ部１１に当接するとともに周縁部１２と略面一となるように網状部２の形状を決定する。
【００２６】
蓋部３を周縁部１２に当接させ、貫通穴３ａが網状部２の略中心と一致するように蓋部３を配置する。この状態で、係合部材４を貫通穴３ａに挿入させ、網状部２と係合部材４とを係合させる。幅広部４３は貫通穴３ａよりも僅かに広いため、所定の抵抗をもって係合部材４が貫通穴３ａに挿入される。また、幅広部４３が網状部２の三次元の網目構造と複雑に絡み合うことにより、係合部材４と網状部２とが係合する。これにより、蓋部３が網状部２を上方から覆うため、使用者は排水口フィルタ１を使用しているとき、網状部２を直接視認することを防ぐことができる。網状部２を覆うことで、排水口１０の周辺を清潔感のある雰囲気にできる。
【００２７】
別の方法としては、係合部材４を貫通穴３ａに貫通させて係止部４２と網状部２とを係合させた状態で、網状部２を排水口１０に挿入することにより、排水口フィルタ１を排水口１０に装着することができる。これにより、排水口１０の汚れを効率良く防止することができる。
【００２８】
図１に示す状態では、矢印Ａで示すように排水が排水口フィルタ１を通過する。このとき、脚部３１と周縁部１２とが当接していることにより、蓋部３と周縁部１２との間に排水が流れる排水空間１０ａが規定される。排水は、排水空間１０ａを通って網状部２を通過する。このとき、網状部２によって排水に含まれる細かいゴミや糸屑などが捕集される。ゴミ等が捕集された排水は、ストッパ部１１を通過して下水へと流れていく。
【００２９】
次に、網状部２の交換方法を説明する。使用者は、把持部４１を把持して上方に持ち上げると、網状部２と排水口１０との係合より幅広部４３と網状部２との係合の方が強いため、排水口フィルタ１は排水口１０から外れる。使用者は、網状部２を係合部材４から取り外して新品の又は洗浄した網状部２を排水口１０に挿入し係合部材４と係合させる。なお、このとき予め係合部材４と新品の又は洗浄した網状部２とを係合させた状態で、網状部２を排水口１０に挿入するとともに脚部３１を周縁部１２と当接させてもよい。
【００３０】
このような構成によると、排水口フィルタ１は網状部２に着脱可能な係合部材４を有しているため、網状部２と係合部材４との係合を解除することにより簡単に網状部２を新品と交換することができる。これにより、直接汚れた排水口１０に触れることなくフィルタである網状部２を交換することができ、使用者の手を汚すことがない。また、蓋部３が網状部２を上方から覆っているため、髪の毛やゴミ等が捕集された網状部２を直接視認することを回避できる。さらに、蓋部３は網状部２との間に排水が流れる排水空間１０ａを形成する複数の脚部３１を有しているため、蓋部３が排水と干渉することがない。これにより、排水を円滑に網状部２に流すことができる。また、係合部材４で蓋部３と網状部２とを係合したまま、一体的に廃棄して新品と交換することにより、網状部２に一切触れることなく新品と交換することができる。
【００３１】
このような構成によると、係合部材４は貫通穴３ａを介して網状部２と係止しているため、蓋部３と係合部材４とが着脱可能となる。これにより、係合部材４が消耗した場合であっても、係合部材４のみ交換することができる。また、係合部材４は係止部４２と反対側に把持部４１を有しているため、使用者は把持部４１を把持することにより排水口フィルタ１を排水口１０から取り外すことができる。これにより、網状部２に直接触れることなく交換することが可能となり、使用者の手が汚れることを防止できる。
【００３２】
このような構成によると、脚部３１は蓋部３の半径方向に沿って設けられているため、脚部３１が排水の流れの障害になることを抑制することができる。これにより、排水を円滑に網状部２に案内することができ、網状部２で効率的に髪の毛やごみ等を捕集することができる。
【００３３】
このような構成によると、脚部３１が蓋部３の周縁部３２の半径方向内側に位置しているため、脚部３１に引っ掛かった髪の毛やゴミ等を蓋部３で覆い隠すことができる。これにより、清潔感があって使用感の良い排水口１０を実現することができる。
【００３４】
次に、本発明の第２の実施の形態について図４及び図５を参照して説明する。上述の実施の形態と同一の構成については、同一の符号を付し説明を省略する。
【００３５】
第２の実施の形態の排水口フィルタの蓋部１０３は、３つの脚部１３１と、周縁部１３２と、を有し、中央に貫通穴１０３ａが形成されている。脚部１３１は略平板形状であって、貫通穴３ａを中心に１２０°の間隔で設けられている。各脚部１３１は、蓋部１０３を略コ字状に切れ目を入れ、当該コ字状の部分を折り曲げることにより形成する。これにより、脚部１３１に隣接する矩形穴１０３ｂが形成される。３つの脚部１３１は、排水の流れを妨げないように、蓋部１０３の半径方向に延びるように配置される。蓋部１０３の上面には、企業の広告等を表示してもよくイラストやシール等を貼付してもよい。脚部１３１の長さは、５から１０ｍｍの範囲で任意の値を設定することができる。
【００３６】
脚部１３１のうち最も径方向内方に位置する部分は、上述の実施の形態と同様に、網状部と干渉しない位置となっている。脚部１３１の個数は、蓋部１０３を安定的に周縁部と当接させることができればこれに限定されない。
【００３７】
次に、本発明の第３の実施の形態について図６を参照して説明する。上述の実施の形態と同一の構成については、同一の符号を付し説明を省略する。第３の実施の形態による排水口フィルタ２０１では、係合部材と蓋部２０３とが一体的に設けられている。
【００３８】
排水口フィルタ２０１は、網状部２と、蓋部２０３と、から構成される。蓋部２０３の中心部には、係合部材２０４が一体的に設けられている。係合部材２０４の下部には、幅方向に柔軟性を有し、幅方向に広がった幅広部２４３を備える係止部２４２が設けられている。なお、蓋部２０３の上面には使用者が把持しやすいような図示せぬ把持部が設けられている。
【００３９】
使用者が排水口フィルタ２０１の網状部２を交換するときは、蓋部２０３に設けられた把持部を把持して網状部２を交換し排水口１０に設置する。
【００４０】
本発明による排水口フィルタは、上述した実施の形態に限定されず、特許請求の範囲に記載された発明の要旨の範囲内で種々の変更が可能である。
【００４１】
上述の実施の形態では、蓋部３は略薄円盤形状だったが、これに限定されない。略矩形やひし形、星型、花形、ハート形であってもよく、半球形状であってもよい。これにより、外観に優れた排水口フィルタを実現することができる。
【００４２】
上述の実施の形態では、脚部３１を貫通穴３ａを中心に１２０°の間隔で設けたが、これに限定されない。例えば、貫通穴３ａを中心に９０°毎に脚部３１を設けてもよく、１８０°毎に設けてもよい。なお、網状部２と係合部材４とが互いに係合しているため、脚部３１の間隔が１８０°であったとしても蓋部３は安定して周縁部１２と当接している。
【００４３】
上述の実施の形態では、網状部２は略円柱形状であったが、これに限定さない。例えば、下方に向かうにつれて円柱の直径が小さくなるような形状であってもよい。これにより、多くの種類の排水口に網状部を適用することができる。
【符号の説明】
【００４４】
１、２０１  排水口フィルタ
２      網状部
３、１０３、２０３  蓋部
３ａ、１０３ａ  貫通穴
４、２０４  係合部材
１０    排水口
１０ａ  排水空間
１２    周縁部
３１、１３１  脚部
４１    把持部
４２、２４２  係止部
４３、２４３  幅広部
【要約】
【課題】
手を汚すことなく簡易に交換が可能であって、異物を捕集することができる排水口フィルタの提供。
【解決手段】
排水口フィルタ１は、ゴミ等を捕集するための排水口１０に設置される。排水口フィルタ１は、排水口１０に挿入される網目状の弾性体である網状部２と、網状部２を覆い、排水口１０の周縁部１２と当接することにより網状部２との間に排水空間１０ａを形成する複数の脚３１部を有する蓋部３と、網状部２に着脱可能に係止される係止部を備えた係合部材４と、を有している。
【選択図】図１【図１】
0006604647.tif 000002
【図２】
0006604647.tif 000003
【図３】
0006604647.tif 000004
【図４】
0006604647.tif 000005
【図５】
0006604647.tif 000006
【図６】
0006604647.tif 000007